(57)【要約】【課題】  本願は、非常時における突然の断水に対処するための、家庭用の簡便な非常用給水装置に関し、特に、家庭内の設置スペースを少なくし、死水域を完全に無くすことを目的とする。更に、死水域を無くすための余分なコストを省いて簡易な構造とし、管状部材間の接続による漏水を最小限にすることを目的とする。【解決手段】  上記課題を解決するために、本願においては、複数の管状部材からなる非常用給水装置を家庭の室内の壁上に設置する構成として室内の設置スペースを最小限とした。  更に、各管状部材を互いに、扁平円錐状の絞込み部を介して接続することにより、死水域を完全にゼロとした。特に、この扁平円錐状の絞込み部に、扁平円錐型接続部材を用いることにより、簡易な構成により死水域を完全に無くすと共に、死水域を無くすための余分な接続部材の使用も不要とした。【選択図】  図１
0003117186.tif 000002
【実用新案登録請求の範囲】
【請求項１】
複数の管状部材を鉛直方向にジグザグに配置し、最上部の管状部材に水導入口と空気弁とを設け、最下部の管状部材に水導出口を設け、前記各管状部材を互いに、扁平円錐状の絞込み部を介して接続するようにした非常用給水装置。
【請求項２】
前記扁平円錐状の絞込み部の角度を、２０〜６０°の範囲としたことを特徴とする請求項１記載の非常用給水装置。
【請求項３】
前記扁平円錐状の絞込み部の角度を、２５〜４５°の範囲としたことを特徴とする請求項１記載の非常用給水装置。
【請求項４】
前記扁平円錐状の絞込み部を、扁平円錐型接続部材とすることを特徴とする請求項１〜３記載の非常用給水装置。
【請求項５】
前記扁平円錐状の絞込み部を、扁平円錐状に絞込み加工された前記管状部材の両端部とすることを特徴とする請求項１〜３記載の非常用給水装置。
【請求項６】
前記各管状部材を壁面上に設置することを特徴とする請求項１〜５記載の非常用給水装置
【考案の詳細な説明】
【技術分野】
【０００１】  災害等の非常時に、家庭などで簡易に給水ができるようにした非常時の給水装置である。
【背景技術】
【０００２】  給水施設は、国民のライフラインとして一時もその供給が中断してはならのいものであるが、落雷などがあって電力の供給が一時的に断たれたりすると、その影響で断水してしまったり、また地震などの災害時においても、電力の供給が断たれたり、導水管が破損したりして断水が生じ、住民の生活に大きな支障を生じることがある。
このような非常時には、従来より公的なサービスとして給水車が派遣されて給水サービスに当たって来たが、給水車の給水サービスは「必要な時に必要な量を」という住民の願いには遠いのが現状であった。したがって、このような場合に、家庭において、簡便な非常用給水設備を備えてあれば、非常時においてもライフラインはなんとか確保することができる。【０００３】このような家庭用の簡便な非常用給水施設としては、従来より、例えば、図４に示すような装置がある（実公昭５１−３９２１２号公報参照）。図４を説明すると、１は家庭内に設けられた密閉タンクであり、常時は、注水口２よりコック３を通して水道水を密閉タンク１内へ供給する。供給された水道水は密閉タンク内１を通って、管４より排出口５より出て、台所、洗面所その他において清浄な家庭用の水として利用される。  一方、非常時に断水が起きた時には、注水口２からの水道水の供給は止まってしまうが、密閉タンク１の下方に設けられた非常用コック６を開けると、排出口５より空気が流入し、それによって非常用コック６を通って密閉タンク内１に貯蔵されていた水道水が排出され、これを家庭用の水として利用することができる。しかし、この従来例の欠点は、家庭内に大きな設置スペースを必要とすることと、注水口２より供給された水が新鮮な状態で完全に密閉タンク内を通過する領域が多くはなく、そのためにかなりの部分の古い水の領域、即ち死水域が生じることである。【０００４】このような家庭内の設置スペースの問題と死水域の問題を解決した家庭用の非常用給水施設として新たに提案された従来例として、図５に示す装置がある（特開平９−１９５３２９号公報参照）。図５において、７は家庭内の適当な場所の壁であり、この上に、主として複数の管状部材８から成る非常用給水装置９が設けられる。最上の管状部材８−１には空気弁１０が設けられ、８−１の右端にある導水口１１から水道水が供給され、供給された水道水は、管状部材８−１を通り、８−１の左端にある連通管１２−１を通って次の管状部材８−２へ入り、８−２を通って連通管１２−２を通って次の管状部材８−３へ入って、８−３を通って、８−３の左端にある排出口１３から給水カラン１４を介して排出される。排出された水は台所や洗面所、トイレなどで利用される。導水口１１から排出口１３へ流れる水の一部は、連通管１２−１、１２−２より流通抵抗が大きい、即ち口径がより小さい排出管１５−１、１５−２を通って管状部材８−１〜８−３の間を流れる。この構造によって、停滞して死水域になりがちな管状部材の隅部の水を流通させ、これにより導水口１１から流入した水の殆どが管状部材８−１〜８−３を通ることができ、死水域をほぼ無くすことができる。この装置はまた、家屋の壁面に取り付けるだけなので、家庭内での設置スペースを要しない。【０００５】しかしながら、この従来装置においては、死水域を減少させるために、管状部材８−１〜８−３を接続する部材として、口径の大きな連通管１２−１、１２−２の他に、これらと相対して、口径の小さな排出管１５−１、１５−２を、管状部材８の連通管取り付け端と同じ端部に設ける必要があり、このための余分な材料と余分な製造工程が必要となる。���た、それのみならず、排出管１５−１、１５−２を更に設けることによって漏水トラブルが起きる可能性が増大するので、これを防止する新たな対策を施す必要が生じる。
【考案の開示】
【考案が解決しようとする課題】
【０００６】  本願は、非常時における突然の断水に対処するための、家庭用の簡便な非常用給水装置に関し、特に、家庭内の設置スペースを少なくし、死水域を完全に無くすことを目的とする。更に、死水域を無くすための余分なコストを省いて簡易な構造とし、管状部材間の接続部からの漏水を最小限にすることを目的とする。
【課題を解決するための手段】
【０００７】  上記目的を達成するために、本願においては、鉛直方向（重力方向）にジグザグに配置した複数の管状部材からなる非常用給水装置を家庭の室内の壁面上などに設置する構成として家庭内の設置スペースを最小限とした。更に、前記各管状部材を互いに、扁平円錐状の絞込み部を介して接続することにより、簡易な構成により死水域を完全に無くすと共に、死水域を無くすための余分な接続部材の使用を不要とした。特に、前記扁平円錐状の絞込み部に、扁平円錐型接続部材を用いるようにすれば、全体構成を簡潔にして製造時間を短縮させ、製造コストを下げることができる。【０００８】本願の請求項１の考案は、複数の管状部材を鉛直方向にジグザグに配置し、最上部の管状部材に水導入口と空気弁とを設け、最下部の管状部材に水導出口を設け、前記各管状部材を互いに、扁平円錐状の絞込み部を介して接続するようにした非常用給水装置である。
本願の請求項２の考案は、前記扁平円錐状の絞込み部の角度を、２０〜６０°の範囲とたことを特徴とする請求項１記載の非常用給水装置である。
本願の請求項３の考案は、前記扁平円錐状の絞込み部の角度を、２５〜４５°の範囲としたことを特徴とする請求項１記載の非常用給水装置である。
本願の請求項４の考案は、前記扁平円錐状の絞込み部を、扁平円錐型接続部材とすることを特徴とする請求項１〜３記載の非常用給水装置である。
本願の請求項５の考案は、前記扁平円錐状の絞込み部を、扁平円錐状に絞込み加工された前記管状部材の両端部とすることを特徴とする請求項１〜３記載の非常用給水装置である。
本願の請求項６の考案は、前記各管状部材を壁面上に設置することを特徴とする請求項１〜５記載の非常用給水装置である。【０００９】図１は、このような本願にかかる非常用給水装置の全体を示す。図１において、１０１は、家庭内の適当な場所の壁であり、この上に、複数の管状部材１０２から成る非常用給水装置１０３が設置される。家庭内の非常用給水装置９を設置する場所は、台所、洗面所、トイレなどの水利施設でなくとも、どのような場所でもよい。非常用給水装置１０３の、最上の管状部材１０２−１の左端にある導入口１０５から水道水が供給され、供給された水道水は、管状部材１０２−１を通り、１０２−１の右端にある接続管１０６を通って次の管状部材１０２−２へ入り、１０２−２を通って左端の接続管１０６を通って更に次の管状部材１０２−３へ入って、同様の行程を経て、最後に管状部材１０２−６の左端にある導出口１０７から給水カラン１０８を介して導出される。導出された水は、通常は台所や洗面所で普通の水道水として利用される。また、最上の管状部材１０２−１には空気弁１０４が設けられ、非常時に断水して、水道水が供給されなくなった時には、この空気弁を開けて、給水カラン１０８を開いて管状部材内の貯留水を家庭用の水として利用する。空気弁１０４は、断水で水圧が減少した状態で給水カランを開いた時に、自動的に開くように構成したものでも良い。管状部材１０２内の貯留水は、一般家庭では、４〜６日に渡って利用することができる。【００１０】各管状部材は、互いに鉛直方向にジグザグに配置され、扁平円錐状の絞込み部１０９を介して接続される。このように、扁平円錐状の絞込み部１０９を介して各管状部材を互いに接続するようにしたために、管状部材１０２へ導入される水が、それから排出されるまで全てよどみなく管状部材１０２内を流れ、その結果死水域を完全にゼロとすることができる。各管状部材を、鉛直方向にジグザグに配置する構成の一つとして、図１に示すように、全ての管状部材を水平方向に並べると、装置の設置面積を最小にすることができ、もっとも好ましい。
また、このような扁平円錐状の絞込み部１０９として、図２に示すような、扁平円錐型接続部材１１０を用いることができる。扁平円錐型接続部材１１０は、同図に示すように、一方の大径の円管状の端部の底部と他方の小径の円管状の端部の底部とが同一の高さで配置され、その間に、円錐状に絞込み加工された管がその底部を水平状態にして挟まれる。その結果、扁平円錐型接続部材の頂部は中央部が斜面となり、一方その底部は全面が水平となる。この扁平円錐型接続部材は「扁平異形ソケット」という商品名で販売されており、図示されていないが、端部は嵌め合い接続できる形状となっている。この扁平円錐型接続部材１１０を、管状部材１０２と接続管１０６との接続に用いて、管状部材１０２へ導入される水を、全てよどみなく流して、死水域を完全にゼロとすることができる。また、この方法は、管状部材１０２と接続管１０６とを扁平円錐型接続部材１１０を介して単純に嵌め合い接続するだけで、死水域を完全にゼロとするものであるから、図５に示すような従来装置のように、死水域をほぼ無くすために、一つの管状部材に口径の大きい連通管と、口径の小さい排出管との２つの管を相対して接続するというような複雑な構成が全く必要でなく、製造が迅速でローコストであることが特徴である。【００１１】また、管状部材１０２と扁平円錐型接続部材１１０との接続、或いは扁平円錐型接続部材１１０と接続管１０６との接続には、上記のような嵌め合い接続によることなく、例えば溶接とか接着剤などの、直接的な接続方法を採用しても良い。
更に、上記扁平円錐型状の絞込み部１０９の構造が、図３に示したように円錐状に絞込んだ先端部が水平にならずに、絞込み加工形状のままで直接に接続管１０６へ接続される構成であってもよい。
また、扁平円錐型状の絞込み部１０９の構造の、扁平円錐型接続部材１１０を用いない他の例として、管状部材１０２の、右と左の両端部を扁平円錐状に絞込み加工し、この絞込み加工された両端に、直接に接続管１０６を接続して、扁平円錐型接続部材１１０の介在を不要とすることもできる。この場合も、管状部材１０２へ導入される水を、全てよどみなく流して、死水域を完全にゼロとすることができることに変わりは無い。
【考案の効果】
【００１２】  本願による家庭用の簡便な非常用給水装置によれば、家庭内の設置スペースをゼロとし、かつ、死水域を完全に無くすことにより、断水が生じた非常時においても、１００％清浄な貯留水を家庭で利用できる。更に、死水域を無くすための構造が簡易であり、そのための余分なコストを省略することができ、またこのために、この種の従来の非常用給水装置において予想されるような漏水トラブルを最小限にすることができる。
【考案を実施するための最良の形態】
【００１３】  図１において、使用される部材の各数値を以下に示す。
絞込み加工された扁平円錐型接続部材１０９の円錐状部の絞込み角度は、好ましくは２０〜６０°の範囲であり、より好ましくは２５〜４５°の範囲である。これによって、死水域を完全にゼロとすることができる。
また、管状部材１０２の口径は、好ましくは３０〜２００ｍｍの範囲であり、より好ましくは５０〜１５０ｍｍの範囲である。同じく管状部材１０２の長さは、好ましくは７００〜２５００ｍｍの範囲であり、より好ましくは１０００〜２０００ｍｍの範囲である。管状部材１０２の使用段数は、好ましくは６〜１５段であり、より好ましくは８〜１２段である。また、接続管１０６の口径は、導水口１０５の大きさと同じか、またはこれより少し大きい値でよい。このような数値の各部材の使用によって、一般家庭（４人家族）において本願装置を用いれば、断水が起きた非常時において、４〜６日間に渡り貯留水を供給できる。
【図面の簡単な説明】
【００１４】
【図１】は、本願考案の全体を示す図である。
【図２】は、本願考案における扁平円錐型接続部材１１０の構造を示す図である。
【図３】は、扁平円錐状の絞込み部１０９の先端を絞込み加工のままとして、直接に接続管１０６へ接続される構成を示した図である。
【図４】は、第１の従来技術を示した図である。
【図５】は、第２の従来技術を示した図である。
【符号の説明】
【００１５】    １    密閉タンク
２    注水口
３    コック
４    管
５    排水口
６    非常用コック
７    壁
８    管状部材
９    非常用給水装置
１０    空気弁
１１    導水口
１２    連通管
１３    排出口
１４    給水カラン
１５    排水管
１０１    壁
１０２    管状部材
１０３    非常用給水装置
１０４    空気弁
１０５    導入口
１０６    接続管
１０７    導出口
１０８    給水カラン
１０９    扁平円錐状の絞込み部
１１０    扁平円錐型接続部材
【図１】
0003117186.tif 000003
【図２】
0003117186.tif 000004
【図３】
0003117186.tif 000005
【図４】
0003117186.tif 000006
【図５】
0003117186.tif 000007